(57)【特許請求の範囲】
【請求項１】
車体フロア側の固定位置とスライドシート側の固定位置との間で余長部を持たせて配索するスライドシート用のワイヤハーネスの配索構造であって、
前記スライドシートのシート脚部を前記車体フロアに設けたシートレールにスライド自在に取り付けていると共に、前記シート脚部の前端に樹脂製の編組チューブで外装している前記ワイヤハーネスのシート接続側を固定して、該ワイヤハーネスを前記シートレール内の空間にスライド自在に挿通し、
前記シートレールの前端に余長吸収ボックスを固定し、該余長吸収ボックス内に前記編組チューブで外装したワイヤハーネスの余長部をバネを用いずに渦巻き状に巻回して収容すると共に、該余長吸収ボックスに車体フロアへワイヤハーネスを引き出す引出口を設けていることを特徴とするスライドシート用のワイヤハーネスの配索構造。
【請求項２】
前記余長吸収ボックスには前記渦巻き状に巻回する中心部に前記ワイヤハーネスを車体フロアへ引き出す引出口を設け、該引出口から引き出される該ワイヤハーネスを該余長吸収ボックスの壁または車体フロアに固定している請求項１に記載のスライドシート用のワイヤハーネスの配索構造。
【請求項３】
前記余長吸収ボックス内に回転円板を回転自在に搭載し、該回転円板の外周に前記ワイヤハーネスを渦巻き状に巻き付けると共に、該回転円板の中心に貫通して設けた引出口にワイヤハーネスを貫通して前記余長吸収ボックスに設けた引出口へ引き出し、該引出口の周縁で前記ワイヤハーネスをクリップで該余長吸収ボックスに固定している請求項１または請求項２に記載のスライドシート用のワイヤハーネスの配索構造。
【請求項４】
前記ワイヤハーネスを挿通させる前記シートレールの空間は、前記シートレールの中央に長さ方向に形成され、上面が開口された空間又は前記空間の両側に平行に形成され前記シートレールの上面によって上面が閉鎖された空間である請求項１乃至求項３のいずれか１項に記載のスライドシート用のワイヤハーネスの配索構造。
【発明の詳細な説明】
【技術分野】
【０００１】
本発明はスライドシート用のワイヤハーネスの配索構造に関し、詳しくは、ワイヤハーネスを配索するためのスライドレールを新たに設けることなく、シンプルな構造で車体フロアとスライドシートとの間にワイヤハーネスを配索するものである。
【背景技術】
【０００２】
自動車のシートには電動リクライニング装置やシートヒータなど種々の電装品が装備されており、これらの電装品に給電するために車体フロア側からシート側にワイヤハーネスが配索されている。スライドシートの場合には、シートのスライド動作に追従できるようにワイヤハーネスに余長部を持たせて配索している。
【０００３】
従来、車体フロアとスライドシートとの間にワイヤハーネスを配索する場合には、例えば特開２００６−２０５８７２号公報（特許文献１）に示されるように、スライドシート（図示せず）の下面に取り付けられるシート脚部１をスライド自在に保持するシートレール２に並行して、ワイヤハーネスＷ／Ｈを配索するためのハーネス用スライドレール３を車体フロア４に設けており、該ハーネス用スライドレール３に、ワイヤハーネスＷ／ＨをＵ形状に屈曲させながらスライドさせる余長吸収構造を持たせることにより、スライドシートのスライド動作にワイヤハーネスＷ／Ｈを追従させている（図５参照）。
【０００４】
しかし、前記のような配索構造では、シートレール２と同程度の重量を有するハーネス用スライドレール３を車体フロア４に設けなければならず、コストが増大すると共に車両重量も増加するため燃費向上の妨げになるおそれもある。また、１個のスライドシートに対して３本のレール、即ち、左右一対のシートレール２と１本のハーネス用スライドレール３が車体フロア４に設けられることとなり、見栄えがよくないという問題もある。
【先行技術文献】
【特許文献】
【０００５】
【特許文献１】特開２００６−２０５８７２号公報
【発明の概要】
【発明が解決しようとする課題】
【０００６】
本発明は、ワイヤハーネスを配索するためのハーネス用スライドレールを新たに設けることなく、車体フロアとスライドシートとの間にワイヤハーネスを配索できることを課題としている。
【課題を解決するための手段】
【０００７】
前記課題を解決するため、本発明は、車体フロア側の固定位置とスライドシート側の固定位置との間で余長部を持たせて配索するスライドシート用のワイヤハーネスの配索構造であって、
前記スライドシートのシート脚部を前記車体フロアに設けたシートレールにスライド自在に取り付けていると共に、前記シート脚部の前端に樹脂製の編組チューブで外装している前記ワイヤハーネスのシート接続側を固定して、該ワイヤハーネスを前記シートレール内の空間にスライド自在に挿通し、
前記シートレールの前端に余長吸収ボックスを固定し、該余長吸収ボックス内に前記編組チューブで外装してワイヤハーネスの余長部をバネを用いずに渦巻き状に巻回して収容すると共に、該余長吸収ボックスに車体フロアへワイヤハーネスを引き出す引出口を設けていることを特徴とするスライドシート用のワイヤハーネスの配索構造を提供している。
【０００８】
前記のように、車体フロアとスライドシートとの間に配索するワイヤハーネスのシート接続側をスライドシートのシート脚部の前端に固定し、前記ワイヤハーネスをシートレール内の空間にスライド自在に挿通していると共に、従来、シートレールの側方のハーネス用スライドレールに設けていた余長吸収機構を本発明では余長吸収ボックスとしてシートレールの前端に固定してシートレールと共に車体フロアに設けている。また、前記余長吸収ボックスではワイヤハーネスを剛性を有する編組チューブで外装することでバネ等を用いずに余長部を渦巻き状に巻回して収容すると共に、ワイヤハーネスを車体フロアに引き出す引出口を余長吸収ボックスに設けている。
したがって、従来のようなハーネス用スライドレールを新たに車体フロアに設けなくても前記ワイヤハーネスはシートレール前端に設けた余長吸収ボックスで余長部を渦巻き状に巻回させながらシートレール内の空間をスライドできるため、シート脚部のスライド動作に滑らかに追従することができる。よって、従来のようなハーネス用スライドレールが不要となり、その分のコストや重量の増加が抑えられ、さらに、車体フロアに設けられるレール数が減少するため、見栄えも改善することができる。
また、余長吸収ボックスは、ワイヤハーネスの余長部を渦巻き状に巻回して収容する構成をとっているため、ワイヤハーネスＷ／ＨをＵ形状に屈曲させて収容する従来の余長吸収部より小型化することができる。
【０００９】
前記余長吸収ボックスには、渦巻き状に巻回する中心部にワイヤハーネスの引出口を設け、該引出口から引き出されるワイヤハーネスを余長吸収ボックスの壁または車体フロアにワイヤハーネスの車体接続側を固定している。
【００１０】
具体的には、例えば、シート脚部がシートレールの前方に位置しているシート前進位置の場合には、ワイヤハーネスの余長部が前記余長吸収ボックス内で大きな曲率半径で渦巻き状に巻回されて余長吸収が行われ又は巻回数が多くなって余長吸収が行われる。一方、シート脚部がシートレールの後方にスライドするシート後退位置の場合に、前記余長吸収ボックス内で渦巻き状に巻回されて収容されるワイヤハーネスの余長部の曲率半径が小さくなり又は巻回数が少なくなって余長吸収ボックス内に収容されていた余長部の一部がシートレール内の空間に引き出される。
【００１１】
あるいは、余長吸収ボックス内に回転円板を回転自在に搭載し、該回転円板の外周にワイヤハーネスを渦巻き状態に巻き付けると共に、該回転円板の中心にワイヤハーネスの引出口を貫通して設け、外周に巻き付けたワイヤハーネスの内端を前記引出口に引き込み、該引出口から余長吸収ボックスに設けた引出口へと引き出して、該引出口を挟む周壁あるいはフロアに引き出されたワイヤハーネスをクリップ止めしてもよい。
この場合、スライドシートの前後進に応じて移動するワイヤハーネスは回転円板の外周に巻き付けられ、あるいは巻き付け状態から引き出されてスライドシートの移動に追従させることができる。
【００１２】
前記のように、余長吸収ボックスは前記シートールの前端に固定している。前記ワイヤハーネスの車体接続側を前記余長吸収ボックスに固定していることが好ましい。
【００１３】
前記のように、ワイヤハーネスの余長部を渦巻き状に巻回して収容する余長吸収ボックスをシートレールの前端に連続して設けておくことにより、シートレール内の空間に挿通されるワイヤハーネスの余長吸収を滑らかに行わせることができる。また、ワイヤハーネスの車体接続側を前記余長吸収ボックス、具体的には、前記引出口を囲む余長吸収ボックスの壁に固定しておくことにより前記渦巻巻回部の中心付近が固定されることとなり、シート脚部の位置が変わっても前記渦巻巻回部の渦巻き状が保持されやすい。
【００１４】
前記のように、ワイヤハーネスを樹脂製の編組チューブで外装している。
前記のように樹脂製の編組チューブで外装したワイヤハーネスを余長吸収ボックスに渦巻き状に巻回して収容すると、前記収容された余長部がシートレール内の空間に引き出された後でも再度余長吸収ボックスに収容される際には、前記編組チューブの持つ剛性や反力により前記余長部は自然に渦巻き状に巻回（自己巻き）される。この自己巻き機能により、バネ等の補助部品を必要とすることなく滑らかに余長部を渦巻き状に巻回して余長吸収することが可能となる。前記編組チューブの樹脂として、例えば、ナイロン樹脂やポリエステル樹脂等が挙げられる。
【００１５】
前記ワイヤハーネスがスライドする前記シートレールの空間は、前記シートレールの中央に長さ方向に形成され上面が開口された空間または該空間の両側に平行に形成され前記シートレールの上面によって上面が閉鎖された空間のいずれでもよい。
【００１６】
特に、前記シートレールの中央に長さ方向に形成された空間は幅広で上面が開口しているため、ワイヤハーネスを挿通させやすく、シート接続側のワイヤハーネスを前記シート脚部の前端に固定してスライドシート内に引き込みやすいため好ましい。この場合、ワイヤハーネスを挿通させる空間の上面が開口しているが、前記のようにワイヤハーネスを樹脂製の編組チューブで外装することでワイヤハーネスを踏み付けなどから保護することができる。一方、前記空間の両側に形成された空間は上面が閉鎖されているため、スライドシートの作動時に前記空間内をスライドするワイヤハーネスが上面側から飛び出すことがなくワイヤハーネスを踏み付けなどから確実に保護できるという利点がある。
【発明の効果】
【００１７】
前述したように、本発明によれば、車体フロアとスライドシートとの間に配索するワイヤハーネスのシート接続側をスライドシートのシート脚部の前端に固定し、樹脂製の編組チューブで外装した前記ワイヤハーネスをシートレール内の空間にスライド自在に挿通していると共に、従来、シートレールの側方のハーネス用スライドレールに設けていた余長吸収機構を本発明では余長吸収ボックスとしてシートレールの前端に設けている。また、前記余長吸収ボックスではワイヤハーネスの余長部を渦巻き状に巻回して収容した後に、ワイヤハーネスを車体フロア側へ引き出している。したがって、従来のようなハーネス用スライドレールを新たに車体フロアに設けなくても前記ワイヤハーネスはシートレール前方に設けた余長吸収ボックスで余長部を渦巻き状に巻回させながらシートレール内の空間をスライドできるため、シート脚部のスライド動作に滑らかに追従することができる。よって、従来のようなハーネス用スライドレールが不要となり、その分のコストや重量の増加が抑えられ、さらに、車体フロアに設けられるレール数が減少するため、見栄えも改善することができる。
【００１８】
また、前記余長吸収ボックスは、ワイヤハーネスの余長部を渦巻き状に巻回して収容する構成をとっているため、ワイヤハーネスＷ／ＨをＵ形状に屈曲させて収容する従来の余長吸収部より小型化することができる。
【００１９】
さらに、樹脂製の編組チューブで外装したワイヤハーネスを余長吸収ボックスに渦巻き状に巻回して収容しているため、前記収容された余長部がシートレール内の空間に引き出された後でも再度余長吸収ボックスに収容される際には、前記編組チューブの持つ剛性や反力により前記余長部は自然に渦巻き状に巻回（自己巻き）される。この自己巻き機能により、バネ等の補助部品を必要とすることなく滑らかに余長部を渦巻き状に巻回して余長吸収することが可能となる。また、樹脂製の編組チューブでワイヤハーネスを外装することによりワイヤハーネスの損傷も防止できる。
【図面の簡単な説明】
【００２０】
【図１】本発明の第一実施形態におけるスライドシートを示す概略斜視図である。
【図２】（Ａ）はワイヤハーネスのシート接続側をシート脚部の前端に固定している状態を示す要部拡大図であり、（Ｂ）はＩ−Ｉ線断面図である。
【図３】ワイヤハーネスの配索構造を示し、（Ａ）はスライドシートが最も前方の位置にある場合の概略平面図、（Ｂ）はＩＩ−ＩＩ線断面図、（Ｃ）はスライドシートが最も後方の位置にある場合の概略平面図、（Ｄ）はＩＩＩ−ＩＩＩ線断面図である。
【図４】第二実施形態を示し、（Ａ）は要部断面図、（Ｂ）はスライドシートの前進時のワイヤハーネスの巻き付け状態を示す概略平面図、（Ｃ）はスライドシートの後進時のワイヤハーネスの巻き付け状態を示す概略平面図である。
【図５】従来例を示す図である。
【発明を実施するための形態】
【００２１】
以下、本発明の実施形態を図面を参照して説明する。
図１乃至図３に本発明の第一実施形態を示す。
スライドシート１０内の電装品（図示せず）に給電するために、車体フロア２０とスライドシート１０との間にナイロン樹脂製の編組チューブ３０で外装したワイヤハーネスＷ／Ｈ（以下、編組チューブ外装ワイヤハーネスＷ／Ｈという）を配索している。スライドシート１０の下面には図２に示すようなシート脚部１１を左右一対設けており、各シート脚部１１を車体フロア２０の凹部２１に設けたシートレール２２にスライド自在に取り付けている。シート脚部１１には左右一対の車輪１１ａを設けており、各車輪１１ａをシートレール２２に形成した左右一対のレール部２２ａに夫々嵌合させることによりシート脚部１１をスライド自在としている。一方、車体フロア２０はフロアカーペット２０ａで被覆され、凹部２１端縁を覆うフロアカーペット２０ａとシートレール２２との間の隙間をカバー材２３で覆っている。
【００２２】
編組チューブ外装ワイヤハーネスＷ／Ｈのシート接続側を一方のシート脚部１１の前端にクランプ１２で固定し、固定後、編組チューブ３０先端から引き出したワイヤハーネスＷ／Ｈの先端側をスライドシート１０内の電装品とコネクタ接続している。また、シート接続側をシート脚部１１の前端に固定した編組チューブ外装ワイヤハーネスＷ／Ｈの他端側を、前記シート脚部１１が取り付けられているシートレール２２内の空間２２Ａにスライド自在に挿通している。ここで、シートレール２２内の空間２２Ａとは、左右一対のレール部２２ａに挟まれた中央の空間のことであり、該空間は長さ方向に形成され上面が開口している。
【００２３】
編組チューブ外装ワイヤハーネスＷ／Ｈを挿通するシートレール２２の前端に余長吸収ボックス２４を連続して設けている。本実施形態では余長吸収ボックス２４を図１および図３に示すように平面視正方形状とし、余長吸収ボックス２４はシートレール２２内の空間２２Ａに挿通される編組チューブ外装ワイヤハーネスＷ／Ｈの余長部を渦巻き状に巻回して収容する余長吸収空間を有している。編組チューブ外装ワイヤハーネスＷ／Ｈの余長部は、余長吸収ボックス２４内で外方から内方へと渦巻き状に巻回されて収容される渦巻巻回部３１を形成している。
【００２４】
余長吸収ボックス２４のシートレール２２側の側面には、シート脚部１１のスライド動作に追従して余長部の出し入れを行う出入口２６を設けていると共に、余長吸収ボックス２４の底壁中央には、編組チューブ外装ワイヤハーネスＷ／Ｈの車体接続側、即ち、渦巻巻回部３１の中心側Ｃを車体フロア２０へ引き出す引出口２７を設けている。本実施形態では、前記引出口２７から引き出す前に車体接続側を余長吸収ボックス２４の底壁内面で引出口２７を囲む位置にクランプ２８で固定しているが、引出口２７から引出し後、車体接続側を車体フロア２０に固定してもよい。引出口２７から車体フロア２０へ引き出された編組チューブ外装ワイヤハーネスＷ／Ｈの車体接続側はインストルメントパネル方向に配索され、編組チューブ３０先端から引き出したワイヤハーネスＷ／Ｈの先端側を電装品（図示せず）とコネクタ接続している。なお、余長吸収ボックス２４の上面もフロアカーペット２０ａで被覆し、外部（車室内）から見えないようにしている。
【００２５】
次に、スライドシート１０のスライド動作に追従するワイヤハーネスＷ／Ｈの動きについて説明する。
図３（Ａ）（Ｂ）はスライドシート１０が最も前方位置にある場合を示し、（Ｃ）（Ｄ）は、スライドシート１０が最も後方位置にある場合を示している。
【００２６】
スライドシート１０のシート脚部１１を前方から後方へとスライドさせていくと、図３（Ｃ）（Ｄ）に示すように、余長吸収ボックス２４内に収容されていた編組チューブ外装ワイヤハーネスＷ／Ｈが出入口２６から引き出されシートレール２２内の空間２２Ａに挿通されると共に、余長吸収ボックス２４内の渦巻巻回部３１の曲率半径が小さくなる。  一方、スライドシート１０のシート脚部１１を後方から前方へスライドさせていくと、図３（Ａ）（Ｂ）に示すように、シートレール２２内の空間２２Ａに挿通されていた編組チューブ外装ワイヤハーネスＷ／Ｈが出入口２６から余長吸収ボックス２４内へと引き込まれ、余長吸収ボックス２４内の渦巻巻回部３１の曲率半径が大きくなる。
【００２７】
前記のように、車体フロア２０とスライドシート１０との間に配索する編組チューブ外装ワイヤハーネスＷ／Ｈのシート接続側をスライドシート１０のシート脚部１１の前端に固定し、編組チューブ外装ワイヤハーネスＷ／Ｈをシートレール２２内の空間２２Ａにスライド自在に挿通している。また、編組チューブ外装ワイヤハーネスＷ／Ｈの余長部を渦巻き状に巻回して収容する余長吸収ボックス２４をシートレール２２の前端に連続して設けると共に、余長吸収ボックス２４から車体フロア２０に編組チューブ外装ワイヤハーネスＷ／Ｈを引き出す引出口２７を設け、該引出口２７を囲む余長吸収ボックス２４の底壁内面に編組チューブ外装ワイヤハーネスＷ／Ｈの車体接続側を固定している。
【００２８】
従って、従来のようなハーネス用スライドレールを新たに車体フロアに設けなくても編組チューブ外装ワイヤハーネスＷ／Ｈはシートレール２２の前端に設けた余長吸収ボックス２４で余長部を渦巻き状に巻回させながらシートレール２２内の空間２２Ａをスライドでき、シート脚部１１のスライド動作に滑らかに追従することができる。よって、従来のようなハーネス用スライドレールが不要となり、その分のコストや重量の増加が抑えられ、さらに、車体フロアに設けられるレール数が減少するため、見栄えも改善することができる。
【００２９】
また、余長吸収ボックス２４は、編組チューブ外装ワイヤハーネスＷ／Ｈの余長部を渦巻き状に巻回して収容する構成をとっているため、ワイヤハーネスＷ／ＨをＵ形状に屈曲させて収容する従来の余長吸収部より小型化できる。
【００３０】
さらに、樹脂製の編組チューブ３０で外装したワイヤハーネスＷ／Ｈを余長吸収ボックス２４に渦巻き状に巻回して収容すると、前記収容された余長部がシートレール２２内の空間２２Ａに引き出された後でも再度余長吸収ボックス２４に収容される際には、編組チューブ３０の持つ剛性や反力により前記余長部は自然に渦巻き状に巻回（自己巻き）される。この自己巻き機能により、バネ等の補助部品を必要とすることなく滑らかに余長部を渦巻き状に巻回して余長吸収することが可能となる。また、樹脂製の編組チューブ３０でワイヤハーネスＷ／Ｈを外装することによりワイヤハーネスＷ／Ｈの損傷も防止できる。
【００３１】
図４に第二実施形態を示す。
第二実施形態では、余長吸収ボックス２４内に回転円板５０の底面に環状突起５０ａを設けると共に余長吸収ボックス２４の底壁に環状ガイド凹部５２を設け、該環状ガイド凹部５２内に環状突起５０ａを回転自在に嵌合して、回転円板５０を回転自在に設置している。この回転円板５０の外周面５０ｂを円弧状としてワイヤハーネスＷ／Ｈを巻き付けると共に、該回転円板５０の中心にワイヤハーネスの引出口５０ｃを貫通して設けている。この引出口５０ｃに外周面５０ｂに巻き付けたワイヤハーネスの内端を引き込み、かつ、該引出口５０ｃと連通させて余長吸収ボックス２４の底壁に設けたワイヤハーネス引出口５４からフロア側に引き出し、該フロアにワイヤハーネスをクランプで固定している。
【００３２】
スライドシートの前進時には、ワイヤハーネスＷ／Ｈは図４（Ｂ）に示すように回転円板５０の外周に渦巻き状に巻き付けられる巻数が増加してワイヤハーネスの余長を吸収する。一方、スライドシートを後進時には、図４（Ｃ）に示すように、ワイヤハーネスの引き出しに応じて回転円板５０が回転して、回転円板５０の外周に巻き付けられるワイヤハーネスの巻回は減少する。
【００３３】
他の構成および作用効果は第一実施形態と同様であるため説明を省略する。
なお、本発明は前記実施形態に限定されず、本発明の要旨を越えない範囲で種々の形態が含まれる。
【符号の説明】
【００３４】
１０  スライドシート
１１  シート脚部
２０  車体フロア
２２  シートレール
２４  余長吸収ボックス
３０  樹脂製編組チューブ
５０  回転円板
Ｗ／Ｈ  ワイヤハーネス
【図１】
0005423389.tif 000002
【図２】
0005423389.tif 000003
【図３】
0005423389.tif 000004
【図４】
0005423389.tif 000005
【図５】
0005423389.tif 000006